(57)【要約】【課題】横長の細長い配線ダクトの長手方向の寸法を大きくすることなく、サブキャップを不使用時保持位置に保持することができるサブキャップ付配線ダクトカバーを提供すること。【解決手段】  机の天板等に設けられた配線ダクトの開口面の大部分を閉じるメインキャップとメインキャップで閉じられない残りの部分を閉じるサブキャップとから成り、配線ダクト及びメインキャップは、横長の形態を有し、サブキャップの使用時保持レールは、メインキャップの幅方向に平行に設けられ、不使用時保持レールは、使用時保持レールに接近してメインキャップの長手方向に平行に設けられている。【選択図】図７
2014155648.tif 000002
【特許請求の範囲】
【請求項１】
机の天板、部屋の床板等の配線貫通板に設けられた配線ダクトの開口面の大部分を閉じるメインキャップと前記メインキャップで閉じられない残りの部分を閉じるサブキャップとから成り、前記メインキャップは、前記配線ダクトの内周面に着脱自在に取り付けられるキャップ取付け手段を有し、前記メインキャップは、前記サブキャップの使用時に前記サブキャップを前記メインキャップの配線ダクトの残りの部分を閉じるように保持する使用時保持手段と、前記サブキャップの不使用時に前記メインキャップの裏面であって前記サブキャップを前記配線ダクトの前記残りの部分以外に相応する部分に保持する不使用時保持手段を備えたサブキャップ付配線ダクトカバーにおいて、前記配線ダクト及び前記メインキャップは、横長の形態を有し、前記使用時保持手段は、前記サブキャップを前記メインキャップの幅方向から差し込んで保持するように設けられ、前記不使用時保持手段は、前記サブキャップを前記メインキャップの長手方向から差し込んで保持するように設けられていることを特徴とするサブキャップ付配線ダクトカバー。
【請求項２】
請求項１に記載のサブキャップ付き配線ダクトカバーであって、前記使用時保持手段と前記不使用時保持手段とは、ほぼ直交するように配置されていることを特徴とするサブキャップ付配線ダクトカバー。
【請求項３】
請求項２に記載のサブキャップ付き配線ダクトカバーであって、前記使用時保持手段は、前記メインキャップの一方の長辺縁から前記メインキャップの幅方向に延びるように設けられた１対の使用時保持レールから成り、前記不使用保持手段は、前記メインキャップの長手方向に延びるように設けられた１対の不使用時保持レールから成り、且つ前記使用時保持レールの対の一方と前記不使用時保持レールの対の一方とは相互に接近又は接触していることを特徴とするサブキャップ付配線ダクトカバー。
【請求項４】
請求項１乃至３のいずれかに記載のサブキャップ付き配線ダクトカバーであって、前記キャップ取付け手段は、前記メインキャップの長手方向の端部に設けられて前記配線ダクトの突条に係合する爪から成っており、前記サブキャップは、使用時及び不使用時保持手段に係合するフランジを有する側脚を含む略Ｕ字形の形態を有して前記サブキャップの不使用時に前記サブキャップが前記爪を跨ぐように通過することができるサブキャップ付配線ダクトカバー。
【発明の詳細な説明】
【技術分野】
【０００１】
本発明は、机の天板、建物の床等に設けられた配線ダクトを閉じる配線ダクトカバーに関し、特に、サブキャップ付配線ダクトカバーの改良に関するものである。
【背景技術】
【０００２】
この種のサブキャップ付配線ダクトカバーは、机の天板、部屋の床板等の配線貫通板に設けられた配線ダクトの開口面の大部分を閉じるメインキャップとこのメインキャップで閉じられない残りの部分を閉じるサブキャップとから成っている。この配線ダクトカバーは、配線ダクトを貫通する配線がない場合には、両キャップとも配線ダクトの開口面を閉じているが、配線ダクトを貫通する配線があっても、配線数が少なくて配線束径が小さい場合には、メインキャップのみを閉じ、サブキャップを外し、また配線数が多くて配線束径が大きい場合には、両キャップとも外すようにして用いられる。
【０００３】
メインキャップは、その複数の弾性爪を配線ダクトの内周面に設けられた掛け止めリブに弾性的に係止して配線ダクトに取り付けられ、またサブキャップは、メインキャップの裏面に設けられた使用時保持レールに差し込んで取り付けられる（特許文献１及び２参照）。
【０００４】
サブキャップは、配線ダクトから取り外して（開いて）使用されない場合には、メインキャップのサブキャップ取付け位置以外の位置の裏面に設けられた不使用時保持手段（棚、レール等）に係合して保持するようにしている。
【０００５】
しかし、特許文献１に示すように、配線カバーが円形である場合は、サブキャップ１ｂは、円形の開口面の外周と円の中心との間の間隔より小さい奥行寸法を有しなければ、メインキャップの不使用時保持位置に保持することができないため、奥行き寸法が限定され、細長い配線ダクトには適用することができない欠点があった。
【０００６】
一方、特許文献２に示すように、配線ダクトが横長で細い場合には、サブキャップをメインキャップの短縁側及び／又は長縁側で閉じることができ、サブキャップは、不使用時、メインキャップ使用時保持位置以外の長手方向の適宜の位置に取付けられるので、サブキャップの奥行寸法をメインキャップの奥行寸法の範囲内で自由に設定することができる。しかし、このサブキャップは、不使用時には、メインキャップの奥行き方向（幅方向）に平行に取り付けられるので、メインキャップは、その取付け空間を残すように、必然的に長くする必要があり、長手方向の寸法が大きくなる欠点があった。
【０００７】
【特許文献１】実公昭６２−６８１３号公報
【特許文献２】実用新案登録第２５１３６５６号公報
【発明の開示】
【発明が解決しようとする課題】
【０００８】
本発明が解決しようとする課題は、横長の細長い配線ダクトに適用することができ、且つ長手方向の寸法を大きくすることなく、サブキャップを不使用時保持位置に保持することができるサブキャップ付き配線ダクトカバーを提供することにある。
【課題を解決するための手段】
【０００９】
本発明の課題解決手段は、机の天板、部屋の床板等の配線貫通板に設けられた配線ダクトの開口面の大部分を閉じるメインキャップと前記メインキャップで閉じられない残りの部分を閉じるサブキャップとから成り、前記メインキャップは、前記配線ダクトの内周面に着脱自在に取り付けられるキャップ取付け手段を有し、前記メインキャップは、前記サブキャップの使用時に前記サブキャップを前記メインキャップの配線ダクトの残りの部分を閉じるように保持する使用時保持手段と、前記サブキャップの不使用時には、前記メインキャップの裏面であって前記配線ダクトの前記残りの部分以外に相応する部分に取り付けられる不使用時保持手段を備えた配線ダクトカバーにおいて、前記配線ダクト及び前記メインキャップは、横長の形態を有し、前記サブキャップの使用時保持手段は、前記サブキャップを前記メインキャップの幅方向から差し込んで保持するように設けられ、前記不使用時保持手段は、前記サブキャップを前記メインキャップの長手方向から差し込んで保持するように設けられていることを特徴とするサブキャップ付配線ダクトカバーを提供することにある。
【００１０】
本発明の課題解決手段おいて、前記使用時保持手段と前記不使用時保持手段とは、ほぼ直交するように配置されている形態とすることができる。
【００１１】
この場合、前記使用時保持手段は、前記メインキャップの一方の長辺縁から前記メインキャップの幅方向に延びるように設けられた１対の使用時保持レールから成り、前記不使用保持手段は、前記メインキャップの長手方向に延びるように設けられた１対の不使用時保持レールから成り、且つ前記使用時保持レールの対の一方と前記不使用時保持レールの対の一方とは相互に接近又は接触しているのが好ましい。
【発明の効果】
【００１２】
本発明によれば、上記のように、配線ダクト及びメインキャップは、横長の細長い形態を有し、サブキャップは、使用時には、メインキャップの幅方向から差し込んでメインキャップに保持され、不使用時には、メインキャップの長手方向にから差し込んで保持されるので、サブキャップの奥行寸法は、円形の配線ダクトのようにメインキャップの半径より小さく設定しなければならないという制限がなく、メインキャップの幅に平行な方向の寸法より小さい範囲で大きく設定することができる。
【００１３】
また、使用時保持手段と不使用時保持手段とは直交して配置されるため、例えば、その使用時保持レールと不使用時保持レールとは、直交状態で相互に接触するように配置することができるので、相互に接近して配置してメインキャップの長さ寸法を抑制することができ、小型の配線ダクトカバーを提供することができる。
【図面の簡単な説明】
【００１４】
【図１】本発明の配線ダクトカバーを備えた机の斜視図である。
【図２】本発明の配線ダクトカバーで全開口面が閉じられた配線ダクトを示し、同図（Ａ）乃至（Ｃ）は、それぞれ、その斜視図、上面図及び正面図である。
【図３】図２の配線ダクトを拡大して示し、同図（Ａ）乃至（Ｃ）は、それぞれ、その下面図、下面図のＢ−Ｂ線断面図及びＣ−Ｃ線断面図である。
【図４】本発明が適用される配線ダクトを示し、同図（Ａ）乃至（Ｅ）は、それぞれ、その斜視図、上面図、正面図、側面図及び上面図のＥ−Ｅ線断面図である。
【図５】本発明の配線ダクトカバーであるが、そのサブキャップが不使用状態であるのを示し、同図（Ａ）乃至（Ｃ）は、それぞれ、その下面図、下面図のＢ−Ｂ線及びＣ−Ｃ線断面図である。
【図６】本発明に用いられるサブキャップを示し、同図（Ａ）乃至（Ｆ）は、それぞれ、その斜視図、上面図、正面図、背面図、左側面図及び上面図のＦ−Ｆ線断面図である。
【図７】本発明の配線ダクトカバーのメインキャップとサブキャップとの下面から見た位置関係を示し、同図（Ａ）は、サブキャップ使用状態（配線ダクトの全開行面を閉じている状態）から不使用状態（メインキャップから取り外した状態）にするためにメインキャップから引き抜いた状態の斜視図、同図（Ｂ）は、サブキャップを不使用状態に保持しようとする初動作を示す斜視図、同図（Ｃ）は、サブキャップをメインキャップの裏面に取り付けて不使用状態に格納されている状態の斜視図である。
【発明を実施するための形態】
【００１５】
本発明の配線ダクトカバーを図面を参照して詳細に述べると、図１は、本発明の好ましい実施の形態による配線ダクトカバー１０を有する配線ダクト２０を備えた机１を示す。机１の天板１Ｔ上に配置されたパーソナルコンピュータ２の如き機器に電源を接続する電源コード３が配線ダクト２０を貫通しており、この配線ダクト２０は、本発明の配線ダクトカバー１０で覆われている。
【００１６】
配線ダクト２０は、図２乃至図４、特に、図４に詳細に示されており、この配線ダクト２０は、上面からみて横長の略矩形状であって四隅に丸みが付された筒状のダクト本体２０Ｂから成り、このダクト本体２０Ｂは、その上縁に一体に形成されたフランジ２０Ｆと周面に間隔をあけて設けられた複数の滑り止めリブ２０Ｒとを有する。この配線ダクト２０は、フランジ２０Ｆが天板１Ｔの上面と面一となるようにして机１の天板１Ｔの配線貫通孔１ＴＨの硬嵌めして取り付けられている。滑り止めリブ２０Ｒは、ダクト本体２０Ｂが天板１Ｔの配線貫通孔１ＴＨから抜け出すのを防止して硬嵌めを確実にする機能を有する。
【００１７】
本発明の配線ダクトカバー１０は、図２、図３、図５乃至図７、特に図５及び図７に詳細に示すように、配線ダクト２０の開口面２０ＨＦの大部分を閉じるメインキャップ３０とこのメインキャップ３０で閉じられない残りの部分を閉じるサブキャップ４０とから成っている。配線ダクト２０と配線ダクトカバー１０とは、金属、プラスチック、ゴムなどの適宜の材料から形成することができる。
【００１８】
メインキャップ３０は、上面から見て配線ダクト２０の横長の開口面２０ＨＦに相応する横長で四隅に丸みが付された略矩形状であるが、メインキャップ３０の一方の長辺側縁から幅方向（長辺に直交する方向）に延びるように設けられてサブキャップ４０に相応する面形状の切欠き３０Ｎを有する形態である（図７参照）。このメインキャップ３０は、図５及び図７から解るように、その周縁に本体部分よりも厚みが小さい（薄肉の）フランジ３０Ｆを有し、このフランジ３０Ｆは、配線ダクト２０のダクト本体２０Ｂの内周面に連続して設けられた突条２０ＲＢ（図４参照）の上に乗るようになっている（図３（Ｂ）（Ｃ）参照）。一方、サブキャップ４０は、上面からみて先端に丸みが付された略矩形状の形態を有し（図６参照）、従ってメインキャップ３０の切欠き３０Ｎも同様の形態を有する。
【００１９】
メインキャップ３０は、配線ダクト２０に弾性的に嵌め込んで取り付けるキャップ取付け手段３０Ｍを有し、図示の形態では、このキャップ取付け手段３０Ｍは、配線ダクト２０のダクト本体２０Ｂの突条２０ＲＢに弾性的に係止する複数の爪３０ＭＰから成り（図３（Ｂ）参照）、図示の形態では、２つの爪３０ＭＰがメインキャップ３０の長手方向の両端に設けられているが、長辺側も含めて更に多くの爪が設けられていてもよい。
【００２０】
また、メインキャップ３０は、サブキャップ４０の使用時に、配線ダクト２０の残りの部分に相応する切欠き３０Ｎを閉じるように、メインキャップ３０の裏面であってその幅方向に平行にサブキャップ４０を取り付けて保持する使用時保持手段５０と、サブキャップ４０の不使用時に、メインキャップ３０の切欠き３０Ｎ以外の裏面であってサブキャップ３０の長手方向に平行にサブキャップ４０を取り付けて保持する不使用時保持手段６０とを備えている。
【００２１】
図示の形態では、サブキャップ４０は、その左右両側に設けられたフランジ４０ＦＬ、４０ＦＲを有し、使用時保持手段５０及び不使用時保持手段６０は、図５に示すように、メインキャップ３０の裏面に設けられてサブキャップ４０の左右のフランジ４０ＦＬ、４０ＦＲが係入して(差し込んで)サブキャップ４０を保持する１対の使用時保持レール５０ＲＬ、５０ＲＲ、不使用時保持レール６０ＲＬ、６０ＲＲからそれぞれ成っている。
【００２２】
使用時保持手段５０は、既に述べたように、サブキャップ４０がメインキャップ３０の切欠き３０Ｎを閉じるように保持するので、使用時保持レール５０ＲＬ、５０ＲＲは、図５及び図７に示すように、メインキャップ３０の切欠き３０Ｎの左右両側縁に沿ってメインキャップ３０の裏面に設けられている。サブキャップ４０は、そのフランジ４０ＦＬ、４０ＦＲをメインキャップの使用時保持レール５０ＲＬ、５０ＲＲに係入するように差し込まれると、その上面がメインキャップ３０の上面と面一となるように、メインキャップ３０の切欠き３０を補完して、配線ダクト２０の開口面２０ＨＦの全面を閉じる。
【００２３】
不使用時保持手段６０は、既に述べたように、メインキャップ３０の裏面で切欠き３０Ｎを有する以外の部分にサブキャップ４０を使用時の上面が下面になるように逆向きにして配線ダクト２０の長手方向に沿って差し込んで保持するように構成されているので、不使用時保持レール６０ＲＬ、６０ＲＲは、図５に示すように、使用時保持レール５０ＲＬ、５０ＲＲに直角方向であるメインキャップ３０の長手方向に平行に設けられている。
【００２４】
図示の形態では、不使用時保持手段６０の不使用時保持レール６０ＲＬが不使用時保持手段５０の使用時保持レール５０ＲＲに接近して設けられており、従ってこれらのレール６０ＲＬと５０ＲＲとは、直交するように配置されており、サブキャップ４０は、メインキャップ３０の裏面で切欠き３０Ｎに可及的に接近して保持されることになる。このサブキャップ４０は、不使用時には、使用時の上面が下面となるように逆向きにしてその左右のフランジ４０ＦＬ、４０ＦＲを右左の不使用時保持レール６０ＲＲ，６０ＲＬに係入するように差し込まれ、それによって、サブキャップ４０は、メインキャップ３０の裏面に切欠き３０Ｎに接近して保持される。
【００２５】
図６及び図７から解るように、サブキャップ４０は、使用時と不使用時とでは逆向きになり、且つ使用時には上面がメインキャップ３０の上面と面一となるように保持されるので、そのフランジ４０ＦＬ、４０ＦＲは、サブキャップ４０の本体部分よりも使用位置でやや下側に位置するように形成されている。従って、サブキャップ４０は、図６（Ｃ）（Ｄ）に示すように、フランジ４０ＦL，４０ＦＲを有する両側脚が短い略Ｕ字形の形態を有する。なお、図６及び図７において符号４０Ｔは、サブキャップ４０の差し込み方向の後端に設けられた薄肉部であり、この薄肉部４０Ｔは、メインキャップ３０のフランジ３０Ｆの薄肉の厚みと一致させるためのものである。
【００２６】
次に、本発明の配線ダクトカバー１０の使用状態を図１乃至図３及び図７を参照して詳細に述べる。図１に示すように、配線ダクト２０は、机１の天板１Ｔの配線貫通孔１ＴＨに硬嵌めして取り付けられる。図２及び図３に示すように、配線ダクト２０に貫通する配線がない場合には、配線ダクトカバー１０のメインキャップ３０及びサブキャップ４０は、配線ダクト２０の開口面２０ＨＦの全面を閉じるように配線カバー２０に取り付けられる。
【００２７】
メインキャップ３０は、その両端の爪３０ＭＰを配線ダクト２０の突条２０ＲＢに弾性的に掛け止めして配線ダクト２０の開口面２０ＨＦを閉じるように取り付けられる。図１に示すように、電源コード３の如き小径の配線が配線ダクト２０を貫通して机１の下側から天板１Ｔに引き出される場合には、サブキャップ４０をメインキャップ３０の切欠き３０Ｎから外して開口し、電源コード３は、このメインキャップ３０の切欠き３０Ｎを通して配線される。これは、サブキャップ４０が不使用の状態である。
【００２８】
このように、サブキャップ４０が不使用状態である場合には、図７（Ｂ）、図７（Ｃ）に示すように、サブキャップ４０は、使用時上面を下面にしてその抜き差し方向（長手方向）がメインキャップ３０の長手方向となるようにして不使用時保持手段６０の保持レール６０ＲＬ、６０ＲＲに差し込む。既に述べたように、サブキャップ４０は、略Ｕ字形の形態を有するため、サブキャップ４０を不使用時保持手段６０に差し込む場合に、メインキャップ３０の爪３０ＭＰに干渉することがなく爪３０ＭＰを跨ぐように通過するので、サブキャップ４０の差し込み操作を容易に行うことができる。
【００２９】
また、配線すべきものがない場合には、サブキャップ４０は、図７（Ａ)のように、不使用時の下面を上面にして、そのフランジ４０ＦＬ、４０ＦＲをメインキャップの使用時保持レール５０ＲＬ、５０ＲＲに差し込んで、その上面がメインキャップ３０の上面に面一となるようにしてメインキャップに取り付けて配線ダクト２０の開口面２０ＨＦの全面を閉じる。
【００３０】
更に、配線すべき線が多数あって配線束径が大きい場合には、サブキャップ４０を含む配線ダクトカバー１０の全体を配線ダクト２０から取り外す。
【００３１】
なお、上記実施の形態では、キャップ取付け手段３０Ｍは、配線ダクト２０の突条とメインキャップ３０の爪３０ＭＰとから成っているが、それ以外の適宜の手段であってもよい。例えば、メインキャップ３０に周壁があってこの周壁を配線ダクトの内周面に硬嵌めしてもよく、その取り外しは、メインキャップ３０の一部に設けられてメインキャップ３０を硬嵌めに抗して引き上げる手段（例えば、スクリュードライバーの先端を差し込むことができる一字式の小さな孔）を設けてもよい。
【００３２】
また、サブキャップの使用時及び不使用時保持手段５０、６０は、フランジとレール以外の他の適宜の手段（例えば、上記の硬嵌め式のメインキャップ取付け手段）とすることができる。
【産業上の利用可能性】
【００３３】
本発明によれば、上記のように、サブキャップは、使用時には、メインキャップの幅方向に平行に取り付けられ、不使用時には、メインキャップの長手方向に平行に取り付けられるので、サブキャップの奥行寸法は、メインキャップの幅に平行な方向の寸法より小さい範囲内で大きく設定することができ、また、使用時保持手段と不使用時保持手段とは直交して配置されるため、両者は、直交状態で相互に接近するように配置してメインキャップの長さ寸法を抑制することができ、産業上有益に利用することができる。
【符号の説明】
【００３４】
１      机
１Ｔ    天板
１ＴＨ    配線貫通孔
２        パーソナルコンピュータ
３        電源コード
１０      配線ダクトカバー
２０      配線ダクト
２０Ｂ    ダクト本体
２０Ｆ    フランジ
２０Ｒ    滑り止めリブ
２０ＨＦ  開口面
２０ＲＢ  突条
３０      メインキャップ
３０Ｎ    切欠き
３０Ｍ    キャップ取付け手段
３０ＭＰ  複数の爪
４０      サブキャップ
４０ＦＬ、４０ＦＲ  左右のフランジ
５０      使用時保持手段
５０ＲＬ、５０ＲＲ  左右１対の使用時保持レール
６０      不使用時保持手段
６０ＲＬ、６０ＲＲ  左右１対の不使用時保持レール
【図１】
2014155648.tif 000003
【図２】
2014155648.tif 000004
【図３】
2014155648.tif 000005
【図４】
2014155648.tif 000006
【図５】
2014155648.tif 000007
【図６】
2014155648.tif 000008
【図７】
2014155648.tif 000009